(57)【要約】【課題】  遊技者の遊技に対する興趣を維持する。【解決手段】  センター役物１４の前面の下側部に、固定誘導部１９を設ける。固定誘導部１９は、流入口１９ａ、誘導路１９ｂ、出口１９ｃを備える。センター役物１４の前面の下側部に、可動役物２０を移動自在に設ける。可動役物２０は、収容部２０ａがパチンコ球７を収容可能な大きさとなるように形成されている。センター役物１４の図柄可変表示装置９の下方に、ステージ１８を設ける。センター役物１４の内部に、移動ユニット２２を設ける。移動ユニット２２は、モータ２３、第１ギア２４、ギアベルト２５、第２ギア２６を備える。モータ２３の駆動によりモータシャフト２３ａが回動すると、第１ギア２４、ギアベルト２５、第２ギア２６、第１, 第２取付シャフト２７, ２８を介して、可動役物２０が移動する。【選択図】        図２
2005323931.tif 000002
【特許請求の範囲】
【請求項１】
遊技球が打ち出される遊技領域を有する遊技盤に設けられ、前記遊技領域を流下する前記遊技球を入口から出口に導いて、前記遊技球の流下経路を変化させる遊技球誘導通路を備えた弾球遊技機において、
前記遊技球誘導通路は、前記遊技領域に固定された固定部と、前記遊技領域内に移動自在に設けられて前記遊技球を捕捉する捕捉部とを備え、
前記捕捉部は、前記固定部に連通して捕捉した前記遊技球を解放する連通位置と、前記連通位置から離脱した離脱位置との間で移動自在に設けられていることを特徴とする弾球遊技機。
【請求項２】
前記遊技盤は、前記遊技球が入賞する入賞口と、前記入賞口の上方に設けられ、前記遊技球を転動させた後に下方に落下させる転動面を有するステージとを備え、
前記遊技球誘導通路の出口は、前記入賞口の近傍でかつ略真上に位置され、
前記捕捉部は、前記転動面の下方でかつ前記ステージの幅方向に移動自在に設けられていることを特徴とする請求項１記載の弾球遊技機。
【発明の詳細な説明】
【技術分野】
【０００１】
本発明は、パチンコ店等の遊技場に設置して使用されるパチンコ機等の弾球遊技機に関するものである。
【背景技術】
【０００２】
遊技場に設置される弾球遊技機の一つとしてパチンコ機が挙げられる。このパチンコ機には、パチンコ球（遊技球）が打ち出される遊技領域が形成された遊技盤が取付け部となる本体ユニットに配設され、その遊技盤の前面がガラス板を保持したガラス枠により被覆される構成となっている。遊技盤面には、レールにより規制された遊技領域が形成され、この遊技領域には始動入賞口、アタッカ、図柄可変表示装置等が設けられた構成となっている。この始動入賞口にパチンコ球が入ることを入賞とする。このパチンコ球には一定の価値が与えられ、遊技を行って獲得したパチンコ球を種々の景品に交換することができる。
【０００３】
このようなパチンコ機では、センター役物と称される枠状の部材が遊技領域の中央部分に設けられた図柄可変表示装置を取り囲むように取り付けられている。このセンター役物には、パチンコ球を流入させるための開口が形成されており、この開口からセンター役物内に流入したパチンコ球をその下部に形成されたステージを介して下方に落下させる。このセンター役物の下方には始動入賞口が設けられており、パチンコ球がこの始動入賞口に入る（入賞する）と、制御装置は抽選を行い、この抽選結果が当りであるか否かを判定する。この抽選で大当たりに当選すると、図柄可変表示装置により特定の図柄にて構成される組み合わせが表示され、大当たりモードに移行される。大当たりモードでは、アタッカがそのアタッカの奥に設けられた大入賞口を開放する位置から閉じる位置になることを１ラウンドとして、１５ラウンド繰り返し可動される。これにより、遊技者はパチンコ球を獲得することができる。
【０００４】
センター役物に形成されたステージは、パチンコ球を一時的に受けて滞在させる。近年では、このステージに、前方に向かって傾斜した誘導通路を形成したパチンコ機が提案されており、このようなパチンコ機では、誘導通路を通ってステージ上から落下したパチンコ球は、下方に設けられた始動入賞口に入賞し易くなっている。このため、遊技者は、センター役物に設けられた開口にパチンコ球が入るように、パチンコ球の打ち出し強さを調整する。
【発明の開示】
【発明が解決しようとする課題】
【０００５】
しかしながら、このように構成されたパチンコ機では、センター役物に設けられた開口から入り、ステージ上に流入したパチンコ球は、全て誘導通路に導かれるのではなく、誘導通路に到達する前にパチンコ球がステージ上からこぼれてしまうことがあり、ステージ上からこぼれたパチンコ球は、誘導通路に導かれたパチンコ球に比べて、始動入賞口に入賞する確率が低くなってしまう。そのため、遊技者の遊技に対する興趣が低くなっていた。
【０００６】
本発明は、上記課題を解決するためになされたものであり、遊技者の遊技に対する興趣を維持することができる弾球遊技機を提供することを目的とする。
【課題を解決するための手段】
【０００７】
上記目的を達成するために、本発明の弾球遊技機は、遊技球が打ち出される遊技領域を有する遊技盤に設けられ、前記遊技領域を流下する前記遊技球を入口から出口に導いて、前記遊技球の流下経路を変化させる遊技球誘導通路を備えた弾球遊技機において、前記遊技球誘導通路は、前記遊技領域に固定された固定部と、前記遊技領域内に移動自在に設けられて前記遊技球を捕捉する捕捉部とを備え、前記捕捉部は、前記固定部に連通して捕捉した前記遊技球を解放する連通位置と、前記連通位置から離脱した離脱位置との間で移動自在に設けられていることを特徴とする。
【０００８】
なお、前記遊技盤は、前記遊技球が入賞する入賞口と、前記入賞口の上方に設けられ、前記遊技球を転動させた後に下方に落下させる転動面を有するステージとを備え、前記遊技球誘導通路の出口は、前記入賞口の近傍でかつ略真上に位置され、前記捕捉部は、前記転動面の下方でかつ前記ステージの幅方向に移動自在に設けられていることが好ましい。
【発明の効果】
【０００９】
本発明の弾球遊技機によれば、遊技球が打ち出される遊技領域を有する遊技盤に設けられ、遊技領域を流下する遊技球を入口から出口に導いて、遊技球の流下経路を変化させる遊技球誘導通路を備え、遊技球誘導通路は、遊技領域に固定された固定部と、遊技領域内に移動自在に設けられて遊技球を捕捉する捕捉部とを備え、捕捉部は、固定部に連通して捕捉した遊技球を解放する連通位置と、連通位置から離脱した離脱位置との間で移動自在に設けられているから、遊技領域内に移動自在に設けられた捕捉部が遊技領域を流下する遊技球を捕捉し、遊技球を捕捉した捕捉部が、遊技領域に固定された固定部に連通して捕捉した遊技球を解放する連通位置に移動すると、解放された遊技球を遊技球誘導通路の出口に導いて、遊技球の流下経路を変化させることができるため、遊技領域を流下する遊技球の流下経路を多様化し、遊技者の遊技に対する興趣を維持することができる。
【００１０】
また、遊技盤は、遊技球が入賞する入賞口と、入賞口の上方に設けられ、遊技球を転動させた後に下方に落下させる転動面を有するステージとを備え、遊技球誘導通路の出口は、入賞口の近傍でかつ略真上に位置され、捕捉部は、転動面の下方でかつステージの幅方向に移動自在に設けられているから、遊技球を転動させた後に下方に落下させる転動面から落下した遊技球を、転動面の下方でかつステージの幅方向に移動自在に設けられた捕捉部により捕捉し、遊技球を捕捉した捕捉部が連通位置に移動すると、捕捉した遊技球を入賞口の近傍でかつ略真上に位置された遊技球誘導通路の出口に導いて、遊技球の流下経路を変化させることができるため、ステージの転動面から落下した遊技球の流下経路も変化させることができる。さらには、遊技球誘導通路の出口は、入賞口の近傍でかつ略真上に位置されているから、出口を通って排出された遊技球は、入賞口に入賞しやすくなり、この入賞口への遊技球の入賞は遊技者に遊技上の特典を与えるため、より一層、遊技者の遊技に対する興趣を維持することができる。
【発明を実施するための最良の形態】
【００１１】
図１に示すように、弾球遊技機の１実施例であるパチンコ機２は、本体枠３の内部に遊技盤４が配設されており、本体枠３の前面には前面扉５が開閉自在に取り付けられている。前面扉５の下方には、打球供給用の供給皿６及びパチンコ球（遊技球）７の打ち出し強さを調節する操作ハンドル８が設けられている。遊技盤４のパチンコ球７が打ち出される遊技領域４ａの略中央には、予め定められた入賞口へパチンコ球７を入賞させるなどの所定入賞条件に基づいて遊技中に様々な図柄を液晶画面に所定時間内において変動表示させた後に停止表示させる図柄可変表示装置９が設けられている。図柄可変表示装置９の下方には、始動入賞口（入賞口）１０、通常入賞口（入賞口）１１、アタッカ１２、アウト口１３等が設けられている。
【００１２】
遊技盤４の略中央には、図柄可変表示装置９を取り囲むようにセンター役物１４が設けられており、センター役物１４に形成された開口を介して、図柄可変表示装置９を視認することができる。遊技者は、供給皿６にパチンコ球７を投入してパチンコ球７を供給皿６内に設けられた誘導路を介して球発射装置へと導き、回動式の操作ハンドル８を所定量回動して球発射装置の駆動を制御することで、遊技盤４の遊技領域４ａの上方に向けてパチンコ球７を打ち出す。打ち出されたパチンコ球７は遊技領域４ａの上方から流下する途中で各入賞口１０〜１２のいずれかに入るか、あるいはアウト口１３から回収される。なお、パチンコ機２の遊技領域４ａに設けられている複数の釘、風車などの構造物は公知であるので説明は省略する。センター役物１４の上側端部には、保留球表示部１５が設けられている。図柄可変表示装置９で図柄を変動表示させている間にパチンコ球７が始動入賞口１０に入賞した場合には、所定個数（例えば４回）の入賞を限度に入賞に基づく制御の保留状態となる保留球として記憶され、保留球表示部１５により保留球の個数が表示される。図柄可変表示装置９で図柄を変動表示させた後に停止表示した時点で保留球表示部１５により保留球が表示されている場合には、保留球表示が１つ消灯されるとともに前記保留状態が解除され、再び図柄可変表示装置９で図柄の変動表示が開始される。
【００１３】
図２に示すように、センター役物１４には、図柄可変表示装置９の上方に防護屋根１６が設けられている。防護屋根１６は、パチンコ球７が図柄可変表示装置９の上方から落下して図柄の表示が妨げられることを防止する。
【００１４】
センター役物１４の左側部の内部にはパチンコ球落下路１７が設けられている。パチンコパチンコ球落下路１７は、センター役物１４の左側面付近を落下するパチンコ球７が入り込むことにより、パチンコ球７をセンター役物１４の外部または後述するステージ１８上に誘導する。パチンコ球落下路１７の下流側には、パチンコ球７をセンター役物１４の外部に排出する外部排出口１７ａ、パチンコ球７をステージ１８上に誘導するステージ誘導口１７ｂが形成されている。
【００１５】
センター役物１４には、図柄可変表示装置９の下方にステージ１８が設けられている。ステージ１８は、最も低い位置にある中央部から両端部に向かうにつれて次第に上方に傾斜して円弧状に曲げられて形成された転動面１８ａを備える。転動面１８ａには、その中央で奥行き方向に亘って形成された中央溝１８ｂと、中央溝１８ｂの左右にそれぞれ延びて上方に傾斜している傾斜部１８ｃとが形成されており、中央溝１８ｂ及び左右の傾斜部１８ｃは、それぞれ前面側に向けて下向きに傾斜する形状で形成されている。中央溝１８ｂ及び左右の傾斜部１８ｃでは、主にパチンコ球落下路１７のステージ誘導口１７ｂから誘導されたパチンコ球７や、センター役物１４の周辺の釘で跳ね返されたパチンコ球７が滞在し、例えば、パチンコ球落下路１７のステージ誘導口１７ｂから誘導されたパチンコ球７がステージ１８の低い位置にある中央溝１８ｂに向けて転がり、勢いがつくと傾斜部１８ｃを左右に転がる。中央溝１８ｂは、始動入賞口１０の真上に設けられており、中央溝１８ｂから落下したパチンコ球７は、傾斜部１８ｃから落下したパチンコ球７に比べて、始動入賞口１０に入賞する確率が高くなる。
【００１６】
センター役物１４の前面の下側部には、固定誘導部（固定部）１９が設けられている。固定誘導部１９は、パチンコ球７が流入する流入口１９ａ、流入口１９ａから流入したパチンコ球７を誘導する誘導路１９ｂ（図３参照）、誘導路１９ｂを誘導されたパチンコ球７を排出する出口１９ｃを備える。流入口１９ａは、出口１９ｃの上側に形成されており、流入口１９ａと出口１９ｃとは誘導路１９ｂにより連結されている。出口１９ｃは、始動入賞口１０の近傍でかつ略真上に形成されており、流入口１９ａに流入し、誘導路１９ｂを誘導されて出口１９ｃから排出されたパチンコ球７は、パチンコ球落下路１７の外部排出口１７ａを通ってセンター役物１４の外部に落下したパチンコ球７や、傾斜部１８ｃから落下したパチンコ球７に比べて、始動入賞口１０に入賞する確率が高くなる。
【００１７】
センター役物１４の前面の下側部には、可動役物（捕捉部）２０が、外部排出口１７ａの真下にくる離脱位置（図２参照）と、流入口１９ａの真正面にきて流入口１９ａに連通する連通位置（図４参照）との間で移動自在に設けられている。本実施形態では、固定誘導部（固定部）１９と可動役物（捕捉部）２０とで、いわゆるワープ通路である遊技球誘導通路を構成している。可動役物２０は、図２において前面、左面、右面及び下面からなる略箱状に形成されており、前面、左面、右面及び下面により形成された収容部（入口）２０ａがパチンコ球７を１個収容（捕捉）可能な大きさで形成されている。可動役物２０の後面の左側端部には、後述するギアベルト２５に噛合する第２ギア２６を取り付けるための第１取付シャフト２７及び第２取付シャフト２８が取り付けられており（図５参照）、センター役物１４の前面の下側部には、第１, 第２取付シャフト２７, ２８を挿通するための長孔状の挿通孔１４ａが２個形成されている。この２個の長孔状の挿通孔１４ａを第１, 第２取付シャフト２７, ２８が移動することにより、可動役物２０が移動する。また、図３に示すように、可動役物２０の下面の内面には、後面側に向かうにつれて次第に下方に傾斜した傾斜部２０ｂが形成されている。
【００１８】
図４に示すように、センター役物１４の内部には、可動役物２０を移動するための移動ユニット２２が設けられている。図５に示すように、移動ユニット２２は、モータ２３、第１ギア２４、ギアベルト２５、第２ギア２６を備える。モータ２３は、パチンコ機２を制御する制御装置３０に接続されており、この制御装置３０により駆動が制御される。第１ギア２４に形成された取付孔２４ａには、モータ２３のモータシャフト２３ａが挿入され、制御装置３０からの命令によりモータ２３が駆動してモータシャフト２３ａが回動すると、第１ギア２４が回動する。ギアベルト２５は、輪状に形成され、その外周面には複数のギア歯が形成されている。ギアベルト２５は、センター役物１４の内部に設けられた第１プーリ３１と第２プーリ３２とに巻き掛けられており、そのギア歯は、第１ギア２４と第２ギア２６とのそれぞれに噛合している。これにより、第１ギア２４が回動すると、ギアベルト２５が回動する。
【００１９】
第２ギア２６は、可動役物２０に取り付けられ、センター役物１４の挿通孔１４ａを挿通した第１取付シャフト２７及び第２取付シャフト２８に取り付けられている。ギアベルト２５が回動すると、第２ギア２６が回動しようとする回動力が発生するが、第２ギア２６が回動すると、第２ギア２６に取り付けられた第１取付シャフト２７及び第２取付シャフト２８が、挿通孔１４ａを形成するセンター役物１４の内壁面に当接し、第２ギア２６の回動が停止する。このため、第２ギア２６が、ギアベルト２５の回動方向に移動する力が発生する。これにより、モータシャフト２３ａが回動すると、第１ギア２４、ギアベルト２５、第２ギア２６、第１, 第２取付シャフト２７, ２８を介して、可動役物２０が移動する。例えば、モータシャフト２３ａが図５中Ａ方向に回動すると、可動役物２０は図５中Ｂ方向に移動し、モータシャフト２３ａが図５中Ｃ方向に回動すると、可動役物２０は図５中Ｄ方向に移動する。なお、本実施形態では、可動役物２０は、図２に示すような外部排出口１７ａの真下にくる離脱位置と、図４に示すような流入口１９ａの真正面にくる連通位置との間で往復して常時移動する。また、可動役物２０の移動速度は、適宜変更されるものである。
【００２０】
上記のように構成されたパチンコ機２の作用について説明する。遊技者は、供給皿６にパチンコ球７を投入してパチンコ球７を供給皿６内に設けられた誘導路を介して球発射装置へと導き、回動式の操作ハンドル８を所定量回動して球発射装置の駆動を制御することで、遊技盤４の遊技領域４ａの上方に向けてパチンコ球７を打ち出す。打ち出されたパチンコ球７は遊技領域４ａの上方から流下する途中で始動入賞口１０、通常入賞口１１、アタッカ１２のいずれかに入るか、あるいはアウト口１３から回収される。始動入賞口１０にパチンコ球７が入賞すると、制御装置３０は、当たり決定部（図示せず）を作動させ、この当たり決定部は、１つの乱数値を抽選する。抽選された乱数値は当たりテーブルと照合され、当たりモードに移行させるか否かが抽選判定の結果として決定され、該決定に係る情報（例えばコマンド）が生成される。制御装置３０は、このコマンドに応じて図柄可変表示装置９を作動し、図柄可変表示装置９で図柄の可変表示が開始される。抽選判定で当たりが決定された場合には、制御装置３０は、図柄可変表示装置９で複数の図柄を一定の組み合わせで停止させるとともに、アタッカ１２を開放する。遊技者は、アタッカ１２にパチンコ球７を入れることにより、多くのパチンコ球７を獲得することができる。このアタッカ１２の開放は、例えば、２０秒開放されるか、またはアタッカ１２内の大入賞口にパチンコ球７が１０個入賞されるのを１ラウンドとして、１５ラウンドが継続して実行される。
【００２１】
遊技者は、操作ハンドル８を操作して、パチンコ球７が始動入賞口１０に入賞するようにパチンコ球７の打ち出される強さを調節する。このとき、遊技者は、パチンコ球７が始動入賞口１０に入賞する確率の高いステージ１８を狙って操作ハンドル８を操作する。ステージ１８の左右の傾斜部１８ｃでは、主にパチンコ球落下路１７のステージ誘導口１７ｂから誘導されたパチンコ球７や、センター役物１４の周辺の釘で跳ね返されたパチンコ球７が転がる。傾斜部１８ｃに滞在した遊技球のうち、中央溝１８ｂから落下したパチンコ球７は、傾斜部１８ｃから落下したパチンコ球７に比べて、始動入賞口１０に入賞する確率が高い。
【００２２】
パチンコ球落下路１７には、パチンコ球７をセンター役物１４の外部に誘導する外部排出口１７ａと、パチンコ球７をステージ１８に誘導するステージ誘導口１７ｂとが形成されており、外部排出口１７ａを通ったパチンコ球７はセンター役物１４の外部に誘導され、ステージ誘導口１７ｂを通ったパチンコ球７はステージ１８に誘導される。外部排出口１７ａを通ってセンター役物１４の外部に落下したパチンコ球７や、傾斜部１８ｃから落下したパチンコ球７は、中央溝１８ｂから落下したパチンコ球７に比べて、始動入賞口１０に入賞する確率が低くなる。
【００２３】
可動役物２０は、外部排出口１７ａの真下にくる離脱位置と、流入口１９ａの真正面にくる連通位置との間で常時移動しており、例えば、可動役物２０が離脱位置に位置するときに、外部排出口１７ａからパチンコ球７が落下した場合には、この落下したパチンコ球７は可動役物２０の収容部２０ａに収容される。そして、収容部２０ａにパチンコ球７を収容した可動役物２０が、連通位置まで移動すると、収容部２０ａに収容したパチンコ球７が傾斜部２０ｂにより流入口１９ａに誘導される。流入口１９ａに流入したパチンコ球７は、誘導路１９ｂを誘導されて出口１９ｃから排出される。出口１９ｃから排出されたパチンコ球７は、外部排出口１７ａを通ってセンター役物１４の外部に落下したパチンコ球７に比べて、始動入賞口１０に入賞する確率が高い。また、パチンコ球７が傾斜部１８ｃから落下したときに、可動役物２０がその真下に位置する場合には、傾斜部１８ｃから落下したパチンコ球７は可動役物２０の収容部２０ａに収容される。そして、上述したように、収容部２０ａに収容されたパチンコ球７は、出口１９ｃから排出される。
【００２４】
このように、パチンコ球７を収容する収容部２０ａが形成された可動役物２０を移動させることにより、可動役物２０が離脱位置に位置するときに外部排出口１７ａからパチンコ球７が落下した場合や、パチンコ球７が傾斜部１８ｃから落下したときに可動役物２０がその真下に位置する場合には、中央溝１８ｂから落下したパチンコ球７に比べて、始動入賞口１０に入賞する確率が低くなる外部排出口１７ａを通ってセンター役物１４の外部に落下したパチンコ球７や、傾斜部１８ｃから落下したパチンコ球７を、収容部２０ａに収容させ、始動入賞口１０に入賞する確率が高い出口１９ｃから排出させることができるため、パチンコ球７が、始動入賞口１０に入賞する確率が低く遊技者の遊技に対する興趣が低下する外部排出口１７ａを通ってセンター役物１４の外部に落下した場合や、傾斜部１８ｃから落下した場合にも、遊技者の遊技に対する興趣を維持することができる。
【００２５】
なお、上記実施形態では、可動役物２０を外部排出口１７ａの真下にくる離脱位置と、流入口１９ａの真正面にくる連通位置との間で移動するように取り付けたが、これに限定されることなく、流入口１９ａの真正面にくる連通位置と、連通位置から離脱した離脱位置との間で移動自在であればよく、例えば、ステージ１８の幅方向全体、あるいは、センター役物１４の全周に亘って移動するようにしてもよい。
【００２６】
また、上記実施形態では、捕捉部を、収容部２０ａが形成された可動役物２０から構成したが、これに限定されることなく、パチンコ球７を捕捉し、捕捉したパチンコ球７を解放して流入口１９ａに流入させることができればよく、例えば、捕捉部を、磁性体から構成し、磁気によりパチンコ球７を捕捉し、捕捉部が流入口１９ａの真正面にくる連通位置に移動したときに磁気を解除し、捕捉したパチンコ球７を解放して流入口１９ａに流入させるようにしてもよい。
【００２７】
さらに、上記実施形態では、可動役物２０の収容部２０ａを、パチンコ球７を１個収容可能な大きさで形成したが、収容部２０ａは、１個以上パチンコ球７を収容可能な大きさであればよく、さらには、可動役物２０を複数個設けてもよい。
【００２８】
また、上記実施形態では、可動役物２０を流入口１９ａの真正面にくる連通位置と、連通位置から離脱した離脱位置との間で移動自在にし、可動役物２０の収容部２０ａを、遊技球誘導通路の入口として構成したが、これに限定されることなく、例えば、可動役物２０を出口１９ｃの真正面にくる連通位置と、連通位置から離脱した離脱位置との間で移動自在にし、収容部２０ａを遊技球誘導通路の出口とする構成にしてもよく、さらには、収容部２０ａを遊技球誘導通路の入口と出口との間の中間部とする構成にしてもよい。
【００２９】
さらに、上記実施形態では、流入口１９ａ、誘導路１９ｂ、出口１９ｃを、始動入賞口１０の略真上に形成し、流入口１９ａに流入し、誘導路１９ｂを誘導されて出口１９ｃから落下したパチンコ球７が、外部排出口１７ａを通ってセンター役物１４の外部に落下したパチンコ球７や、傾斜部１８ｃから落下したパチンコ球７に比べて、始動入賞口１０に入賞する確率が高くなるようにしたが、流入口１９ａ、誘導路１９ｂ、出口１９ｃを形成する位置は限定されることなく、例えば、出口１９ｃから落下したパチンコ球７が、外部排出口１７ａを通ってセンター役物１４の外部に落下したパチンコ球７や、傾斜部１８ｃから落下したパチンコ球７に比べて、通常入賞口１１に入賞する確率が高くなるような通常入賞口１１の略真上に形成してもよい。
【００３０】
また、上記実施形態では、可動役物２０を常時移動させたが、これに限定されることなく、通常時には可動役物２０を停止し、保留球表示部１５による保留球の表示がない場合に可動役物２０を移動するようにしてもよく、さらに、大当たりに関連させて、例えば、大当たりに、次回までの大当たり確率が通常時の大当たり確率と比較して変動した状態となる確率変動大当りと、次回までの大当たり確率が通常時の大当たり確率と同一の通常大当たりとを設け、確率変動大当りした後と、通常大当たりが終了した後の時間短縮状態（図柄可変表示装置９での変動表示時間及び停止表示時間が通常時よりも短縮された状態）のときとに、可動役物２０を移動するようにしてもよい。また、通常時には可動役物２０を停止し、始動入賞口１０にパチンコ球７が入賞したときに、制御装置３０が可動役物２０を可動させる（当り）か否か（外れ）の抽選を行う可動抽選部を作動させるようにし、この可動抽選部による抽選で当りが抽選されたときにのみ、可動役物２０を移動（例えば、１往復）するようにしてもよく、この場合には、上記した確率変動大当りした後や時間短縮状態のときには、可動抽選部による抽選で当りが抽選される確率が通常時よりも高くなるようにしてもよい。
【００３１】
図６及び図７に他の実施形態を示す。上記実施形態のものと同様の構成部材には同一の符号を付し、その詳細な説明を簡略化する。この実施形態では、センター役物１４の前面の下側部には、可動スロープ４０が移動可能に設けられている。可動スロープ４０は、最も低い位置にある中央部から両端部に向かうにつれて次第に上方に傾斜して円弧状に曲げられた形状に形成されている。可動スロープ４０には、滞在したパチンコ球７を落下させるための第１〜第３切欠き４０ａ〜４０ｃが形成されており、後面側に向けて下向きに傾斜する形状で形成されている。可動スロープ４０では、主にステージ１８の傾斜部１８ｃから落下したパチンコ球７、外部排出口１７ａを通ってセンター役物１４の外部に落下したパチンコ球７、センター役物１４の周辺の釘で跳ね返されたパチンコ球７が滞在する。
【００３２】
可動スロープ４０の後面には、第１〜第３挿通シャフト４１〜４３と、ギアベルト２５に噛合する第２ギア２６を取り付けるための取付シャフト４４とが取り付けられており、センター役物１４の前面の下側部には、第１〜第３挿通シャフト４１〜４３及び取付シャフト４４を挿通するための長孔状の挿通孔１４ｂが形成されている。この長孔状の挿通孔１４ｂを第１〜第３挿通シャフト４１〜４３及び取付シャフト４４が移動することにより、可動スロープ４０が移動する。
【００３３】
第２ギア２６は、可動スロープ４０に取り付けられた取付シャフト４４に取り付けられている。ギアベルト２５が回動すると、第２ギア２６が回動しようとする回動力が発生するが、第２ギア２６が回動すると、第２ギア２６に取り付けられた取付シャフト４４が回動し、それに応じて取付シャフト４４が取り付けられた可動スロープ４０が回動して、第１〜第３挿通シャフト４１〜４３が、挿通孔１４ａを形成するセンター役物１４の内壁面に当接し、第２ギア２６の回動が停止する。このため、第２ギア２６が、ギアベルト２５の回動方向に移動する力が発生する。これにより、モータシャフト２３ａが回動すると、第１ギア２４、ギアベルト２５、第２ギア２６、取付シャフト４４を介して、可動スロープ４０が移動する。例えば、モータシャフト２３ａが図７中Ａ方向に回動すると、可動スロープ４０は図７中Ｂ方向に移動し、モータシャフト２３ａが図７中Ｃ方向に回動すると、可動スロープ４０は図７中Ｄ方向に移動する。なお、可動スロープ４０の移動速度は、適宜変更されるものである。
【００３４】
可動スロープ４０は図７中Ｂ及びＤ方向に移動しており、例えば、可動スロープ４０が外部排出口１７ａを通ってセンター役物１４の外部に落下したパチンコ球７を受ける位置に位置するときに、外部排出口１７ａを通ってセンター役物１４の外部にパチンコ球７が落下した場合には、この落下したパチンコ球７は可動スロープ４０に流入する。そして、可動スロープ４０に流入したパチンコ球７は、固定誘導部１９の流入口１９ａに流入するか、第１〜第３切欠き４０ａ〜４０ｃから落下する。同様にして、可動スロープ４０が傾斜部１８ｃから落下したパチンコ球７を受ける位置に位置するときに、傾斜部１８ｃからパチンコ球７が落下した場合には、この落下したパチンコ球７は可動スロープ４０に流入する。そして、可動スロープ４０に流入したパチンコ球７は、固定誘導部１９の流入口１９ａに流入するか、第１〜第３切欠き４０ａ〜４０ｃから落下する。
【００３５】
このように、可動スロープ４０を移動させることにより、可動スロープ４０が外部排出口１７ａを通ってセンター役物１４の外部に落下したパチンコ球７を受ける位置に位置するときに、外部排出口１７ａを通ってセンター役物１４の外部にパチンコ球７が落下した場合や、可動スロープ４０が傾斜部１８ｃから落下したパチンコ球７を受ける位置に位置するときに、傾斜部１８ｃからパチンコ球７が落下した場合には、中央溝１８ｂから落下したパチンコ球７に比べて、始動入賞口１０に入賞する確率が低くなる外部排出口１７ａを通ってセンター役物１４の外部に落下したパチンコ球７や、傾斜部１８ｃから落下したパチンコ球７を、固定誘導部１９の流入口１９ａに流入させて始動入賞口１０に入賞する確率が高い出口１９ｃから排出させることができるため、パチンコ球７が、外部排出口１７ａを通ってセンター役物１４の外部に落下した場合や、傾斜部１８ｃから落下した場合にも、遊技者の遊技に対する興趣を維持することができる。
【図面の簡単な説明】
【００３６】
【図１】本発明を実施したパチンコ機の外観を示す斜視図である。
【図２】図柄可変表示装置、センター役物、ステージ、固定誘導部、可動役物を示す平面図である。
【図３】入口と誘導路と出口とを示す側面断面図である。
【図４】ステージと移動ユニットとの位置関係を示す平面図である。
【図５】移動ユニットと可動役物とを示す分解斜視図である。
【図６】センター役物に可動スロープを取り付けた実施形態を示すパチンコ機の外観を示す斜視図である。
【図７】移動ユニットと可動スロープとを示す分解斜視図である。
【符号の説明】
【００３７】
２  パチンコ機（弾球遊技機）
３  本体枠
４  遊技盤
４ａ  遊技領域
７  パチンコ球（遊技球）
１０  始動入賞口（入賞口）
１１  通常入賞口（入賞口）
１４  センター役物
１４ａ, １４ｂ  挿通孔
１７  球落下路
１８  ステージ
１８ａ  転動面
１８ｂ  中央溝
１８ｃ  傾斜部
１９  固定誘導部（固定部）
１９ａ  流入口
１９ｃ  誘導路
１９ｃ  出口
２０  可動役物（捕捉部）
２０ａ  収容部（入口）
２０ｂ  傾斜部
２２  移動ユニット
３０  制御装置
４０  可動スロープ
【図１】
2005323931.tif 000003
【図２】
2005323931.tif 000004
【図３】
2005323931.tif 000005
【図４】
2005323931.tif 000006
【図５】
2005323931.tif 000007
【図６】
2005323931.tif 000008
【図７】
2005323931.tif 000009